(57)【要約】【課題】公共領域及び私的領域でのあらゆる種類の建物、取分けオフィススペースあるいは戸外での外領域（例えば歩道）を、これらの空間への足の踏み入れの際に及びこれらの空間での歩行の際に、出来る限り多くの感覚が応答され、種々の圧迫感が足の裏で知覚されて、足を踏み入れる人が、感覚への、変化する予想の付かない刺激に直面して、好ましくは固有受容能力が改善されるように、構成する。【解決手段】種々の面部分（１２）は、人が床用構造体（１０）上で移動する際に、常に変化し予想できない一連の、種々の面部分（１２）に、人が不可避的に踏み入れるように、設けられかつ形成されている。【選択図】      図１
2004176534.tif 000002
【特許請求の範囲】
【請求項１】
複数の面部分（１２）からなる床用構造体であって、これらの面部分は夫々、場合によっては異なった性質、特に、前記面部分（１２）への足の踏み入れの際の人間の知覚に関する性質を有する少なくとも１つの材料からなる、床用構造体において、
前記種々の面部分（１２）は、人が前記床用構造体（１０）上で移動する際に、常に変化し予想できない一連の、種々の面部分（１２）に、人が不可避的に足を踏み入れるように、設けられかつ形成されていることを特徴とする床用構造体。
【請求項２】
前記面部分（１２）は、夫々同一の材料から形成されており、均一的な、外的に均等な面が生じるが、同一の又は異なった包含物が前記面部分に組み込まれ、好ましくは注入されおり、足の踏み入れの際には、全体として、触覚上の異なった刺激が引き起こされることを特徴とする請求項１に記載の床用構造体。
【請求項３】
前記面部分（１２）は、前記床用構造体の互いに分離した部分であることを特徴とする請求項１又は２に記載の床用構造体。
【請求項４】
前記面部分（１２）の形状及び／又は大きさは、互いに異なっていることを特徴とする請求項１乃至３のいずれか１に記載の床用構造体。
【請求項５】
前記性質は、材料の硬度すなわち硬さ及び／又は表面の粗さ及び／又は表面構造及び／又は粘度又は弾性及び／又は表面温度に関することを特徴とする請求項１乃至４のいずれか１に記載の床用構造体。
【請求項６】
前記材料は、固体材料、粒度分布の異なるばら材料、ゲル状の材料及び／又は剛毛状の材料を含むことを特徴とする請求項１乃至５のいずれか１に記載の床用構造体。
【請求項７】
前記面部分（１２）及び／又は該面部分（１２）の傾動要素（２４）は、これらが、人の足の踏み入れの際に、位置の変化、特に、傾動又は回動又は滑り運動及び／又は摺動又は異なった速度での沈降を行なうように、可動に取り付けられていることを特徴とする請求項１乃至６のいずれか１に記載の床用構造体。
【請求項８】
前記床用構造体（１０）の少なくとも１つの面部分（１２）は、面部分（１２）を加熱又は冷却する床加熱要素又は床冷却要素を有することを特徴とする請求項１乃至７のいずれか１に記載の床用構造体。
【請求項９】
前記床用構造体（１０）の少なくとも１つの面部分（１２）は、多数の垂直に立設されているバーを有することを特徴とする請求項１乃至８のいずれか１に記載の床用構造体。
【請求項１０】
前記バーは、異なった剛性を有することを特徴とする請求項９に記載の床用構造体。
【請求項１１】
異なった剛性を有するバーのグループは、１つの面部分に設けられていることを特徴とする請求項１０に記載の床用構造体。
【請求項１２】
好ましくは、例えば可撓性のプラスチックのようなベース材料からなる下部構造体（１６）と、好ましくは、他の材料が注入される相手方である発泡材料からなる上部構造体（１４）とを有し、前記上部構造体（１４）は前記下部構造体（１６）に取り付けられている、請求項１乃至１１のいずれか１に記載の床用構造体。
【請求項１３】
前記床用構造体（１０）は、内部空間及び／又は外部空間に敷くために適切であることを特徴とする請求項１乃至１２のいずれか１に記載の床用構造体。
【請求項１４】
前記床用構造体（１０）は、従来の床敷物に載せるために適切であることを特徴とする請求項１乃至１３のいずれか１に記載の床用構造体。
【請求項１５】
前記床用構造体（１０）は、床用構造体（１０）の外側で特にばら材料の場合に材料の混合及び／又は材料の溢れ出しを回避するため、シール手段（２０）を有することを特徴とする請求項１乃至１４のいずれか１に記載の床用構造体。
【請求項１６】
前記種々の面部分（１２）同士の間の移行が角部なしでなされることを特徴とする請求項１乃至１５のいずれか１に記載の床用構造体。
【請求項１７】
前記個々の面部分（１２）は、閉じられた、好ましくは油状の物質が満たされている内部空間を有し、この物質は、物質が、例えば電圧の供給の際に又は物質の温度変化の際に、その性質、好ましくは粘度を変えるように、定められていることを特徴とする請求項１乃至１６のいずれか１に記載の床用構造体。
【請求項１８】
前記内部空間は、互いに連通式に接続されており、内部空間には所定の粘度及び／又は粘着性の物質が充填されていることを特徴とする請求項１７に記載の床用構造体。
【請求項１９】
前記床用構造体（１０）は、子供遊戯用マット及び／又は子供遊戯用敷物として形成されていることを特徴とする請求項１乃至１８のいずれか１に記載の床用構造体の使用。
【請求項２０】
前記面部分（１２）の、好ましくは形状及び寸法に関する配列及び構成を、空間における基準に基づいて及び／又は乱数発生器により行なうことを特徴とする請求項１乃至１８のいずれか１に記載の床用構造体を製造する方法。
【請求項２１】
足の踏み入れの際に夫々異なる触覚上の刺激を引き起こす複数の要素を、前記床用構造体（１０）の、好ましくは発泡ポリプロピレン（ＥＰＰ）又は他のプラスチック製のプレートの、ベース材料に注入することを特徴とする請求項１乃至１８のいずれか１に記載の床用構造体を製造する方法。
【発明の詳細な説明】
【技術分野】
【０００１】
本発明は、床用構造体、即ち、異なって成形された複数の面部分からなる床敷物に関し、これらの面部分は、異なった性質を有する、異なった材料からなる。
【背景技術】
【０００２】
従来の技術のドイツ実用新案DE 297 10 370は、この関連で、ゴム又はプラスチックからなり、異なったマッサージ強度の多くの領域を有し、足の血行促進のための足踏み用ベースとして用いられる足マッサージ用マットを開示している。
【０００３】
運動場等の表面構造物の分野では、EP 1 124 010 A1が、個々の補強コンクリートプレートからなる床緩衝要素を開示している。
【０００４】
DE 40 21 958 C2からは、オリエンテーリングの補助に用いられ、特に盲人及び視覚障害者のためにオリエンテーリングを可能にし、例えば歩道又は車道への歩行の際に、道の境界を、地面用敷物における触覚で知覚可能な相違によって認識することができる地面用敷物構造体が公知である。しかし、この公報の目標設定は本発明とは全く異なった方向を示しており、つまりは、正しくオリエンテーリングがすなわち異なった地面用敷物の追跡可能な連続が認識パターンとして用いられるという方向を示している。
【特許文献１】ドイツ実用新案第297 10 370号
【特許文献２】欧州特許公開公報第1 124 010 A1号
【特許文献３】ドイツ特許公告公報第40 21 958 C2号
【発明の開示】
【発明が解決しようとする課題】
【０００５】
本発明は、これとは異なる目標設定、すなわち、公共領域及び私的領域でのあらゆる種類の建物、取分けオフィススペースあるいは戸外での外側領域（例えば歩道）を、これらの空間への足の踏み入れの際に及びこれらの空間での歩行の際に、出来る限り多くの感覚が応答され、種々の圧迫感が足の裏で知覚されて、足を踏み入れる人が、感覚への、変化する予想の付かない刺激に直面して、好ましくは固有受容能力が改善されるように、構成するという目標設定を追求する。
【課題を解決するための手段】
【０００６】
上記課題は、人が、床用構造体上での移動中に、その人にとって予想のつかない、変化する種々の面部分の連続に直面し、これらの面部分が、森林土を範として、好ましくは、固有受容の作用機構の形の、種々の知覚を引き起こすように、床用構造体をデザインすることによって解決される。
【０００７】
面部分の異なった実施の形態は、これらの面部分が利用者にとって目に見えず、床が、利用者によって、通常の連続的なユニットとして知覚されること、及び、異なった実施の形態が表面材料の不可視のかつ感じられるにすぎない性質に関し、例えば、異なった硬度、及び隠れた状態で設けられている包含物であって、円形に、角張って、斜めに又は規則的に又は不規則的に形成されており、歩行中に、好ましくは、固有受容の作用機構の形の、種々の知覚、しかも、筋肉の常に変化する緊張を必要とする、凹凸のある、硬くかつ軟らかい、弾性的な、剛性の領域を有する森林土への足の踏み入れの場合と類似の知覚を引き起こす包含物に関することにあることができる。
【０００８】
複数の面部分が種々の材料からなり、これらの材料自体が同様に種々の性質を有することは好都合である。
【０００９】
上で既に記述したように、面部分は、外からは均等に見えて、かつ材料の他の性質を有する種々の包含物を含む面（例えば、発泡材料、ゴム、その他の物）であるかのように利用者には見えるように、形成されていることができる。
【００１０】
性質は、ここでは、特に、異なった密度、剛性、弾性、硬さ等の包含物に関し、あるいは、表面粗さ、表面構造及び材料の粘性又は弾性に関する。材料としては、ばら材料、例えば、種々の粒度の砂又は砂利、ゲル状の材料、剛毛状の材料又は射出された材料が用いられる。
【００１１】
表面は毛羽が立っており、波しわが付いており、波形になっており、平滑であり、粗くなっているか、又は、異なった高さで形成されている斜めに勾配のついた溝を持っていることができる等である。
【００１２】
種々の材料が、床敷物の内部で、ずれたり混ざったりすることができないように、これらの材料は、種々の材料に、例えばゴム、発泡材料等にも注入されていることができ（このとき、面部分は同一のベース材料からなり、異なった包含物によってのみ異なる）、あるいは、夫々の材料を、これらの材料に割り当てられている面部分に保つところのシール要素又はシール手段が設けられている。
【００１３】
更に、シール手段は、例えば、床用構造体を、少なくとも部分的に、上方へ、フォイル状の被覆材料によって被覆することによって、床用構造体からの緩い材料の溢れ出しを回避するようにデザインされている。被覆材料は、薄い絨毯の、耐裂性のミクロ繊維の、「不織布」の表面の種類の、容易に変形可能な織物からなることができる。しかし、被覆材料は、手押し二輪車が表面を通る際に手押し二輪車の車輪がしわを作らない程度に、剛性を有するほうがよい。
【００１４】
本発明の特に好都合な実施の形態では、床用構造体がマット状に形成されているか、あるいは支持用の下部構造体を有し、この下部構造体に上部構造体が取り付けられており、この上部構造体自体が種々の材料を有することが提案されている。この場合、床用構造体全体は、この床用構造体を絨毯のロールのように巻き取ることができ、使用の際には、今ある従来の床敷物上に容易に広げればよいように、選択されている。このことは、本発明に係わる床用構造体の、容易な、素早い及び安価な取扱をもたらす。この場合極めて重要であるのは、例えば包含物の入った発泡材料から、石、砂利、又はプラスチック要素からなる上部構造体が、床に直接載っているのではなく、ＥＰＰ（発泡ポリプロピレン）プレートのようなベース材料又は皮革、サイザル繊維、ジュート繊維、アサ又はコルク繊維からなる下部構造体に載っていることである。従って、床用構造体の耐久性が延びる。
【００１５】
本発明は、原理的に、人の知覚を高めるという目標を追求するので、床用構造体の種々の材料を、これらの材料が、触覚上の感覚の刺激に関してのみならず、更に、温度感覚に関して、平衡感覚に関して、音響的及び視覚的な知覚に関しても相違を示すように、設定することが提案されている。このことは、本発明により、前記の面部分には、各々の面部分への足の踏み入れの際に前記感覚の刺激を得る他の要素が設けられていることによって解決される。
【００１６】
温度感覚に関して、このことは、少なくとも部分的に据えられた床用冷却要素又は床用加熱要素によって達成される。かように嵌め込まれた加熱要素又は冷却要素は、両要素の設けられた区域の硬さ及び弾性にも影響を及ぼすためにも用いられる。発泡材料TEMPUR（商標名）は、例えば、熱及び冷たさに種々様々に反応する。この発泡材料は、冷たいときは、非常に硬くなり、熱いときには全く軟らかになる。その他では、複数の要素は、該要素が、各々の面部分への足の踏み入れの際に、更に、視覚的及び／又は音響的な信号を発するように、デザインされている。このことは、当該の人の場合、かように装備された場所での移動中に、脳の種々の区域が活性化され、種々様々な求心性の神経刺激を受け取ることをもたらす。このことは、同様に、脳の活動全体の増大と、取分け、右半球と左半球のニューロン区域の間の均衡のとれた活性化をもたらす。
【００１７】
従って、本発明の特別な効果は、感覚運動性の部分領域としての、固有受容の医学領域にあり、本発明に基づいて装備された場所で、常に、人を、足の裏によって間接又は直接に知覚される、変化する特に予期しない新たな刺激に直面させることである。
【００１８】
好都合な実施の形態では、面部分の形状及び大きさは不規則的に形成されている。それ故に、モザイク状の全体的なパターンが生じる。
【００１９】
複数の材料は種々の弾性係数を有する（スポンジ・ゴムは高い弾性を有し、例えば、石は非常に低い弾性を有する）か、あるいは、足の踏み入れの際に足の圧力に撓む、種々の粒度のばら材料からなる。同一の効果はクッション状に形成された面部分によって達成されることができる。これらの面部分は種々のゲル状の物質で充填されており、同様に、異なった足の知覚を得る。従って、物質としては、石、ゲル、プラスチック、庭用ホース、尖った又は丸い要素、弾性要素、真っ直ぐの及び円形の、曲げられた、３次元に曲げられた、あるいはねじ状の要素並びに種々の性質の他の考えつくすべての形状及び材料を用いることができる。
【００２０】
本発明の他の実施の形態では、下部構造体は、下部構造体の面から突き出ている支持要素を有し、これらの支持要素は、例えば、異なった横断面を有するバー状の要素（円形材料又は四角材料）からあるいは下部構造体に挿入された半球体からなる。これらの半球体自体は、これらの支持要素に設けられた傾動要素が、偏心的な負荷の際に、支持要素を中心とした回動運動を実行するように、デザインされている。この場合、支持要素は下部構造体に設けられていて、傾動要素によって実行される回動運動は僅かな角度範囲のみを有する。それ故に、人の平衡感覚が応答されるが、同時に、「平衡を失うこと」が確実に回避される。
【００２１】
他の実施の形態では、本発明に係わる床用構造体は、より小さな空間領域を覆いかつ、同様に、結果として異なった感覚的な刺激をもたらす子供遊戯用敷物として、形成されている。
【００２２】
第１の変更の実施の形態では、床用構造体の前記実施の形態は台状に形成されている。その目的は、例えば砂又は石のような可動の材料を、面部分の充填のために用いるためである。
【００２３】
第２の変更の実施の形態は、床用構造体をマット状に形成することにある。それ故に、床用構造体は、使用しないときは、スペースを取らずに巻き取ることができ、作動中でのみ、今ある床敷物の上に載せられる。種々に成形された面部分のためには、ここでは、特に、好ましくはレリーフ状の表面構造体を有する吹付け材料が用いられる。ベース材料からなるプレート、例えばＥＰＰプレートは発泡材料マットを有し、この発泡材料マットには、他の材料が注入される。
【００２４】
床用構造体によって、特に材料の溢れ出しによって生じる汚れを回避するために、これらの材料は、少なくとも部分的に、可撓性の織物の形の被覆材料によって、又はフォイルによって、好ましくは洗濯可能なフォイルによって囲まれている。このフォイルは容易に洗浄されることができ、種々の材料の知覚を妨げることはない。
【００２５】
他には、他の構造体も可能である。すなわち、下方のベースプレートに、包含物を有する発泡材料を及び次に被覆材料を設ける代わりに、最下層として、発泡材料を選択することもできる。このとき、この発泡材料上にはベースマット及び被覆材料が設けられている。
【００２６】
実際また、被覆層は、ベースマット及び発泡材料を囲み、カバー又はプレートを交換するために、ジップファスナー又はマジックファスナーによって開けられることができる、周囲を閉じたカバーの形で、形成されていてよい。
【００２７】
本発明は、更に、前記の床用構造体のうちの１を製造する方法に関する。個々の面部分の分割及び／又は成形及び寸法付与が、空間に関する所定の基準によりなされ、乱数発生器によりなされる。
【００２８】
空間における基準は、ここでは、例えば、空間の大きさ、自然の又は人工の明かり状況、色彩の構成、好都合な移動空間（「歩道」）、あるいは、例えば、他の空間への移行領域である。
【００２９】
方法は、好ましくは、ベース材料に（例えば、発泡材料、ゴム、TEMPUR（商標名）のマットに）種々の要素（足の踏み入れの際に感覚の他の刺激をもたらす、凹凸のある、任意に形成された要素）を注入することにある。
【００３０】
利用者にとって予想のつかない触覚上の刺激を引き起こす他の可能性は、種々のリザーバを有し、任意のコンシステンシー及び粘度の流体が流れてなるホース装置を、マットに組み込むことである。利用者がこの連通するホース装置の或る箇所を踏むと、ホース装置は撓む。何故ならば、流体が他の領域に分配されるからである。他の箇所で、第２の又は第３の利用者が、同様に、連通するホース装置の一部分を踏むとき、第１の利用者はベースの反応を感じ、固有受容によりこれに対し不可避的に反応し、従って、身体の感覚運動性の知覚能力及び反応を促進する。原理は連通する容器の又はウォーターベッドの原理に比較可能である。
【００３１】
他の利点、実施の形態及び記述される実施の形態への詳細は、以下の図面の記載に見出される。
【発明を実施するための最良の形態】
【００３２】
図１は本発明に係わる床用構造体の基本的な実施の形態を示している。この床用構造体は全体として参照符号１０で示され、複数の面部分１２を有する。これらの面部分自体は、上部構造体１４に取り付けられている。この上部構造体１４は、下部構造体１６によって支持されている。この下部構造体１６は、本発明の実施の形態では、可撓性のある、巻取り可能なマットである。他の実施の形態では、下部構造体は、固い、台状の構造体である。
【００３３】
上部構造体１４は、更に、複数の収容装置１８を有することができる。これらの収容装置は面部分１２を収容するために適切であり、面部分の位置を上部構造体にしっかり保持する。収容装置１８は、面部分１２を側方で区画するために、横断面でほぼ矩形の又はバット状の形状を有する。
【００３４】
前記上部構造体１４は、更に、複数のシール手段２０を有する。これらシール手段は、各々の面部分１２の間の、出来る限り均等な移行を作り出す。それ故に、一方の面部分から他方の面部分への移行の際に、複数の角部が回避される。これらのシール手段が、選択的に低い又は高い剛性を有するゴム状の材料によって形成されていることは好ましい。
【００３５】
本発明の好都合な実施の形態では、上部構造体１４は、少なくとも部分的に、収容装置１８を有するために適切であるように、形成されている。図３及び図４に示すように、収容装置１８は、複数の支持要素２２と、支持要素２２に回動自在に取り付けられている傾動要素２４とを有する。この場合、支持要素２２及び傾動要素２４は、傾動要素２４が、受動的な状態で、つまり、面要素すなわち面部分１２に足が踏み入れられていない状態で、出来る限り水平方向に整列されているように、及び、面部分の表面が、この面部分を取り囲む面部分１２及びシール要素２０の表面とほぼ一致するように、設けられている。各々の面部分１２への足の踏み入れの際に、すなわち能動的な状態では、傾動要素２４は、偏心的な負荷のもとで、支持要素２２を中心として回動する。それ故に、僅かに傾斜した表面は調整される。この表面は、人に僅かな調整的な動きをとらせ、従って、平衡器官を活動させる。
【００３６】
傾斜した、即ち、斜めに据えられている支持要素２２の形の肩部が生じることなく、多数の面部分１２により出来る限り均等な表面を達成するために、収容装置１８は、追加的に複数のばね要素２６を有し、これらのばね要素が収容装置１８と傾動装置２４との間に設けられており、静止状態で傾動要素２４をほぼ水平方向の位置で支持要素２２に保持するように、調整されていることが提案されている。
【００３７】
ばね要素２６は、すべての適切な復帰要素、例えば発泡材料層、逆流する流体、エラストマー粒子等であってもよい。
【００３８】
本発明の他の実施の形態では、床用構造体１０は、種々の面部分１２が直接設けられてなる下部構造体１６のみを有する。この実施の形態は、特に、容易かつ安価な製造の点で優れている。この場合、下部構造体１６は、敷き詰め可能なマット又はネットの形で形成されており、上面に、特に射出成形によって又は貼着によって容易に床用構造体１０に取着される材料を有する。この場合、材料が種々の面部分１２を作ることができるのは、材料が例えば、表面に波しわを付けること、表面に縁部を形成すること、表面をレリーフ状に形成することにより又は材料にリセスを形成することにより種々の表面構造体を有することによってである。ＥＰＰのベースマット上に、プラスチックの包含物を有する発泡材料層が設けられており、被覆層によって覆われている。
【００３９】
本発明の他の好都合な実施の形態では、本発明に係わる床用構造体１０は、個々の面部分１２が、物質が満たされて、閉じられた、中空の内部空間を有するように、形成されている。この物質が、油か、あるいは、異なった物理的な状況では同様に異なった粘度を有する他の充填剤であることは好ましい。従って、油が充填されている面部分１２は、更に、例えば電圧の供給又は物質の温度変化が例えば加熱要素または冷却要素によって可能となるように、形成されている。この実施の形態に基づく、本発明に係わる床用構造体１０の機能方法は、以下の通りである。
【００４０】
電圧の供給の際に又は温度変化の際に、同様に、充填剤の、又は内部空間にある物質の粘度も変化する。それ故に、床用構造体の硬さ及び／又は粘着性（Zaehigkeit）を、全体として、動力学的にかつ適応性をもって制御することができる。好ましくはマットとして形成されるこの床用構造体１０は、油状の物質が充填されている内部空間の他に、物理的操作量を変えることができるように、更に、適切な電気接続部を有する。物質が充填されている内部空間の代わりに、プラスチックの使用も可能である。このプラスチックは、プラスチックに作用する物理的操作量が変化するとき、触覚で知覚可能な粘度を変える。操作量は、取分け、局部的に作用する圧力従ってまた床用構造体に足を踏み入れる人の速度であってよい。
【００４１】
図５に示した他の実施の形態では、個々の面部分には、導電結合した複数の容器からなる配列が形成されている。この配列は、流体が充填されておりかつ所定の蛇行線で上部構造体に設けられているホース（図４（Ａ）を参照せよ）であってもよい。ホースの剛性及び充填度は、動きがウォーターベッドと比較可能に生じるように、調整されている。このようなホースの束には適切なステップマット（Trittlage）がある。このステップマットは、ホースの局部的な圧縮を、「可撓性のベース」という情報として足に伝える。
【００４２】
最近の実施の形態で、上部構造体には、例えばプラスチックからなり、所定の粘度の流体の入った、液密な、変形可能な容器が設けられている。変形可能な容器には、足の踏む入れの際の流体の逃げに所定の抵抗をする格子構造が挿入されている。
【００４３】
個々の面部分は、図６に示した最近の実施の形態では、実質的に垂直方向に密に並設されたバーからなり、同一の剛性を有するバーはグループに纏められていることができる。かくて、異なった硬度分布が面部分を通して生じる。
【００４４】
本発明の実施の形態は、前記の好ましい実施の形態に限定されない。むしろ、原理的に異なったタイプの実施の形態の場合でも示した解決策を用いる多数の変更の実施の形態が考えられる。
【図面の簡単な説明】
【００４５】
【図１】本発明に係わる床用構造体の平面図である。
【図２】図示した種々の材料を有する、本発明に係わる床用構造体の横断面である。
【図３】本発明の他の実施の形態の横断面である。
【図４】（Ａ）は面部分の構成の他の実施の形態を示し、（Ｂ）は、面部分の構成の更に他の実施の形態を示し、（Ｃ）は、面部分の構成の更に他の実施の形態を示している。
【図５】ホースが蛇行線で配置されている実施の形態を示している。
【図６】剛性の異なった棒が配置されている最近の実施の形態を示している。
【符号の説明】
【００４６】
１０…床用構造体、１２…面部分、１６…下部構造体、２０…シール手段、２４…傾動要素、ＥＰＰ…発泡プロピレン。
【図１】
2004176534.tif 000003
【図２】
2004176534.tif 000004
【図３】
2004176534.tif 000005
【図４】
2004176534.tif 000006
【図５】
2004176534.tif 000007
【図６】
2004176534.tif 000008